(57)【特許請求の範囲】
【請求項１】
角部を有する目地部を介して設けられた、前後左右方向に出入口を有する一方の躯体目地部側に形成された目地プレート支持部と、この目地プレート支持部と対応する部位であって、出入口を有する他方の躯体の出入口側に形成されたスライド支持凹部と、該スライド支持凹部の上面に設けられ、前後左右方向にスライド移動可能な支持プレートと、前記目地プレート支持部に後端部が支持され、先端部が支持プレートに支持された床目地プレートと、前記床目地プレートの上部に位置するように、前記支持プレートに取り付けられたカバープレートと、前記一方の躯体と他方の躯体の出入口付近の壁面間に設けられた壁面用目地装置とで構成され、前記支持プレートは、一方の躯体に左右方向にスライド可能に取り付けられるとともに、他方の躯体に前後方向にスライド可能に取り付けられていることを特徴とする目地装置。
【請求項２】
前記壁用目地装置は、少なくとも一端が躯体の壁面に対してスライド移動可能に取り付けられるとともに、壁用目地装置が地震による躯体の揺れ動きによりスライド移動した際に、壁面用目地装置と壁面の間に生じる隙間を塞ぐカバー部材が設けられていることを特徴とする請求項１記載の目地装置
【請求項３】
前記スライド支持凹部の上面には、スライド部材が設けられていることを特徴とする請求項１又は請求項２のいずれか１つに記載の目地装置。
【発明の詳細な説明】
【技術分野】
【０００１】
本発明は角部を有する目地部を介して設けられた左右の建物間の目地部を塞ぐ目地装置に関する。
【背景技術】
【０００２】
従来、この種の目地装置は目地部を塞ぐために、角部目地プレートを設置して、地震によって目地部が狭くなるように躯体が揺れ動いた場合には、スライド支持部の傾斜面に乗り上げてその揺れ動きを吸収していた。
【０００３】
また、いずれか一方の躯体に地震による揺れ動き幅の２倍超のスライド支持部を設け、床目地プレートをスライド移動可能に支持するとともに、床目地プレートの上部をカバープレートで覆い、揺れ動きを吸収する装置が用いられていた。
しかし、スライド支持部の傾斜面に乗り上げてその揺れ動きを吸収する目地装置では、角目地プレートや目地プレートの先端が突出してしまい危険であるし、カバープレートで床目地プレートの上部を覆う目地装置では、目地部が角部を有しない場合には地震による躯体の揺れ動きを吸収しつつ、目地部を隙間なく塞ぐことができるが、角部を有する目地部を塞ごうとする場合には、揺れ動きの方向によっては地震時にカバープレートや目地プレートが躯体に衝突するか、目地部が開口して隙間が生じてしまうという欠点があった。
【先行技術文献】
【特許文献】
【０００４】
【特許文献１】特開２０１１−２５２３２７号公報
【発明の概要】
【発明が解決しようとする課題】
【０００５】
本発明は以上のような従来の欠点に鑑み、目地プレート等が損傷したり、上方へ突出することなく角部を有する目地部を塞ぐことができる目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は角部を有する目地部を介して設けられた、前後左右方向に出入口を有する一方の躯体目地部側に形成された目地プレート支持部と、この目地プレート支持部と対応する部位であって、出入口を有する他方の躯体の出入口側に形成されたスライド支持凹部と、該スライド支持凹部の上面に設けられ、前後左右方向にスライド移動可能な支持プレートと、前記目地プレート支持部に後端部が支持され、先端部が支持プレートに支持された床目地プレートと、前記床目地プレートの上部に位置するように、前記支持プレートに取り付けられたカバープレートと、前記一方の躯体と他方の躯体の出入口付近の壁面間に設けられた壁面用目地装置とで構成され、前記支持プレートは、一方の躯体に左右方向にスライド可能に取り付けられるとともに、他方の躯体に前後方向にスライド可能に取り付けられていることを特徴とする。
【発明の効果】
【０００８】
以上の説明から明らかなように、本発明にあっては次に列挙する効果が得られる。
（１）請求項１の発明においては、スライド支持凹部にスライド移動可能な支持プレートを設け、該支持プレートの上部にカバープレートを取り付けているので、地震によって躯体が前後左右方向に揺れ動いても、支持プレートが追従して揺れ動きを吸収でき、カバープレート等が躯体に衝突することを防止できる。
（２）床目地プレートは前記支持プレートにスライド移動可能に支持され、上部にカバープレートが設けられているので、地震によって躯体が前後左右方向に揺れ動いても、上方へ突出することなく角部を有する目地部を塞ぐことができる。
（３）壁面用目地装置により目地部が床目地プレート又はカバープレートで塞がれていない部位への人等の侵入を防止できる。
（４）請求項２の発明においても前記（１）〜（３）と同様な効果が得られるとともに、地震により外壁等と壁面用目地装置の間に隙間が生じてしまった場合でも、カバー部材によってその隙間を塞ぐことができる。
したがって、より確実に目地部が床目地プレート又はカバープレートで塞がれていない部位への人等の侵入を防止できる。
（５）請求項３の発明においても前記（１）〜（４）と同様な効果が得られるとともに、支持プレートのスライド移動をスムーズにすることができる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の要部（躯体、スライド支持凹部等）の説明図。
【図５】本発明を実施するための第１の形態の支持プレートの説明図。
【図６】本発明を実施するための第１の形態の床目地プレートの説明図。
【図７】本発明を実施するための第１の形態のカバープレートの説明図。
【図８】本発明を実施するための第１の形態の地震で左右方向に揺れ動き目地部が狭くなった動作説明図。
【図９】図８の９−９線に沿う断面図。
【図１０】本発明を実施するための第１の形態の地震で左右方向に揺れ動き目地部が広くなった動作説明図。
【図１１】図１０の１１−１１線に沿う断面図。
【図１２】本発明を実施するための第１の形態の異なる前後方向に揺れ動き目地部が狭くなった動作説明図。
【図１３】図１２の１３−１３線に沿う断面図。
【図１４】本発明を実施するための第１の形態の異なる前後方向に揺れ動き目地部が広くなった動作説明図。
【図１５】図１４の１５−１５線に沿う断面図。
【図１６】本発明を実施するための第２の形態の平面図。
【図１７】図１６の１７−１７線に沿う断面図。
【図１８】本発明を実施するための第２の形態の支持プレートの説明図。
【発明を実施するための形態】
【００１０】
以下、図面に示す本発明を実施するための形態により、本発明を詳細に説明する。
図１ないし図１５に示す本発明を実施するための第１の形態において、１は目地部２を介して設けられた一方の躯体３と他方の躯体４間の目地部２を塞ぐ目地装置で、この目地装置１は、角部を有する目地部２、本実施の形態においては、クランク状の目地部２を介して設けられた出入口５を有する一方の躯体３の出入口側に形成された目地プレート支持部６と、この目地プレート支持部６と対応する部位であって、出入口７を有する他方の躯体４の出入口側に形成されたスライド支持凹部８と、該スライド支持凹部８の上面に設けられ、前後左右方向にスライド移動可能な支持プレート９と、前記目地プレート支持部６に支持され、先端部が支持プレート９に支持された床目地プレート１０と、前記床目地プレート１０の上部に位置するように、前記支持プレート９に取り付けられたカバープレート１１と、前記一方の躯体３と他方の躯体４の出入口付近の壁面間に設けられた壁面用目地装置１２とで構成されており、前記支持プレート９は、一辺が一方の躯体３に左右方向にスライド可能に取り付けられ、他の一辺が他方の躯体４に前後方向にスライド可能に取り付けられているものである。なお、左右方向とは図１（平面視）における左右方向であり、前後方向とは図１における上下方向をいう。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
前記一方の躯体３は、略Ｌ字状の建物であって、前記出入口５は左右方向の出入口５ａと、前後方向の出入口５ｂの２ヶ所に形成されている。また、左右方向の出入口５ａ側の端部には凹部状の目地プレート支持部６が形成されており、前後方向の出入口５ｂ側には支持プレート９をスライド移動可能に取り付けるためのガイドレール１３が左右方向に固定されている。
【００１３】
なお、本実施の形態において、出入口５は複数設けられているが、前後方向の出入口と左右方向の出入口が一体となっている、平面視Ｌ字状の出入口としてもよい。
【００１４】
前記他方の躯体４は、略逆Ｌ字状の建物であって左右方向に出入口７が形成されており、この出入口７の両側には袖壁１４が形成されている。該出入口７側には方形状のスライド支持凹部８形成が形成されており、該スライド支持凹部８の出入口７側には支持プレート９をスライド移動可能に取り付けるためのガイド溝１５が前後方向に形成されている。
【００１５】
また、前記スライド支持凹部８の上面にはスライド移動をスムーズにするためのスライド部材１６としてベアリングが設けられている。
なお、スライド部材としては、ベアリングの他にベアリングやローラー、支承コロ、すべり材等が考えられる。
【００１６】
前記支持プレート９は、前記ガイドレール１３およびガイド溝１５にスライド移動可能に係合可能な係合片１７が設けられている方形状のプレートであり、底面がスライド支持凹部８のスライド部材（ベアリング）１６に支持される。
【００１７】
前記床目地プレート１０は、平面視方形状のプレートで、一端が前記目地プレート支持部６に固定され、他端が全方向ローラー等のスライド部材１８を介して支持プレート９に支持されている。
【００１８】
前記カバープレート１１は、前記平面視方形状のプレートで、前記支持プレート９にスペーサー１９を介して一端が固定され、他端は前記床目地プレート１０の上面に支持されている。
【００１９】
前記壁面用目地装置１２は、一般的に使用されている公知の壁面用目地装置を用いており、図１等に示すように左右方向と前後方向にそれぞれ設けられている。左右方向の壁面用目地装置１２ａは、一端が一方の躯体３の出入口５ａ付近の外壁３ａに固定され、他端が他方の躯体４の出入口７付近の袖壁１４部分のガイドレール１３に支柱２０を介して前後方向にスライド移動可能に取り付けられている。なお、該支柱２０は支持プレート９に固定され、支持プレート９の動きに追従して動くものである。また、支柱２０には袖壁１４に収納されたカバー部材２１としての側壁が係合されている。
【００２０】
前後方向の壁面用目地装置１２ｂは、一端が一方の躯体３の出入口５ｂ付近の外壁３ｂ部分に設けられ、他端が他方の躯体４の外壁４ａに対してスライド移動可能に設けられている。該スライド移動可能な他端には、前記ガイド溝１５上を左右方向にスライド可能なローラー２２を底面に備えたカバー部材２３が設けられている。なお、本実施の形態においては、壁面用目地装置１２ｂとカバー部材２３は一体的に形成されおり、壁面用目地装置１２ｂは前記カバープレート１１の上面に固定されている。
【００２１】
前記壁面用目地装置１２ａに支柱２０を介して設けられたカバー部材２１は、前記壁面用目地装置１２ａが取り付けられている部位の袖壁１４内に収納されており、出入口７側に設けられた係合片２４により前記支柱２０に係合されている。また、カバー部材２１は収納される方向にコイルスプリング２５により付勢されている。
【００２２】
なお、本実施の形態においては、カバー部材２１、２３として側壁等を設けているが、カバー部材としてはこの他に、蛇腹状のシート、伸縮性のあるシート、公知の伸縮壁等を用いてもよい。
【００２３】
地震で躯体３、４が左右方向に揺れ動き目地部２が狭くなると、図８および図９に示すように、支持プレート９が一方の躯体３のガイドレール１３に沿って左右方向にスライド移動するとともに、床目地プレート１０が支持プレート９上をスライド移動し、揺れ動きを吸収する。このとき前後方向の壁面用目地装置１２ｂに設けられたカバー部材２３は、出入口５ｂ側に引き出され、外壁３ｂと左右方向の壁面用目地装置１２ｂの間に隙間が生じることを防止する。
【００２４】
地震で躯体３、４が左右方向に揺れ動き目地部２が広くなると、図１０および図１１に示すように、支持プレート９が一方の躯体３のガイドレール１３に沿って左右方向にスライド移動するとともに、床目地プレート１０が支持プレート９上をスライド移動し、揺れ動きを吸収する。このとき前後方向の壁面用目地装置１２ｂに設けられたカバー部材２３は、ガイド溝１５上をスライド移動する。また、前記カバー部材２１は、係止片２４で係合されている支柱２０がスライド移動する事により、袖壁１４から出入口７側へ引き出され、壁面用目地装置１２ａと袖壁１４間に生じる隙間を塞ぐ。なお、地震による揺れ動きが収まり、躯体３、４が通常状態に復帰するとコイルスプリング２５の付勢力により袖壁１４内に収納される。
【００２５】
地震で躯体３、４が異なる前後方向に揺れ動き目地部２が狭くなると、図１２および図１３に示すように、支持プレート９が他方の躯体４のガイド溝１５に沿って上下方向にスライド移動し、揺れ動きを吸収する。また、カバープレート１１は支持プレート９に固定されているため、一方の躯体３に衝突することなく揺れ動きを吸収できる。なお、前記カバー部材２１は係止片２４で支柱２０と係合されているだけなので、壁面用目地装置１２ｂのスライド移動を妨害せず、カバー部材２１は動くことなく袖壁１４の内部に留まる。
【００２６】
地震で躯体３、４が異なる前後方向に揺れ動き目地部２が広くなると、図１４および図１５に示すように、支持プレート９が他方の躯体４のガイド溝１５に沿って上下方向にスライド移動し、揺れ動きを吸収する。また、カバープレート１１は支持プレート９に固定されているため、面視上下方向の出入口５ｂ側の目地部２に隙間が生じることなく異なる前後方向に揺れ動きを吸収することができる。このとき左右方向の壁面用目地装置１２ａに設けられたカバー部材２１は、出入口７側に引き出され、袖壁１４と左右方向の壁面用目地装置１２ａの間に隙間が生じることを防止する。
【００２７】
[発明を実施するための異なる形態]
次に、図１６ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１６ないし図１８に示す本発明を実施するための第２の形態において、前記本発明を実施するための第１の形態と主に異なる点は、スライド部材１８を備えない床目地プレート１０Ａおよび上面にスライド部材１８を備えた支持プレート９Ａを用い、前記スライド部材１８で床目地プレートを支持した点で、このような構成の目地装置１Ａにしても前記本発明を実施するための第１の形態と同様な作用効果が得られる。
【００２８】
なお、本発明の実施の形態において、壁面用目地装置の端部がスライド移動するものについて説明したが、壁面用目地装置の両端を回動可能に設けたものでもよい。
また、本発明の実施の形態において、スライド支持凹部に支持プレートのスライドをスムーズにするスライド部材を設けたが、支持プレート底面にスライド部材を設けてもよい。
【００２９】
さらに、本発明の実施の形態において、一方の躯体の出入口は平面視略Ｌ字状に形成されているが、左右方向の出入口と上下方向の出入口のように複数の出入口を有する躯体であってもよい。
【産業上の利用可能性】
【００３０】
本発明は目地装置を製造する産業で利用される。
【符号の説明】
【００３１】
１、１Ａ：目地装置、              ２：目地部、
３：一方の躯体、                  ４：他方の躯体、
５：出入口、                      ６：目地プレート支持部、
７：出入口、                      ８：スライド支持凹部、
９、９Ａ：支持プレート、          １０、１０Ａ：床目地プレート、
１１：カバープレート、            １２：壁面用目地装置、
１３：ガイドレール、              １４：袖壁、
１５：ガイド溝、                  １６：スライド部材、
１７：係合片、                    １８：スライド部材、
１９：スペーサー、                ２０：支柱、
２１：カバー部材、                ２２：ローラー、
２３：カバー部材、                ２４：係止片、
２５：コイルスプリング。
【図１】
0006033352.tif 000002
【図２】
0006033352.tif 000003
【図３】
0006033352.tif 000004
【図４】
0006033352.tif 000005
【図５】
0006033352.tif 000006
【図６】
0006033352.tif 000007
【図７】
0006033352.tif 000008
【図８】
0006033352.tif 000009
【図９】
0006033352.tif 000010
【図１０】
0006033352.tif 000011
【図１１】
0006033352.tif 000012
【図１２】
0006033352.tif 000013
【図１３】
0006033352.tif 000014
【図１４】
0006033352.tif 000015
【図１５】
0006033352.tif 000016
【図１６】
0006033352.tif 000017
【図１７】
0006033352.tif 000018
【図１８】
0006033352.tif 000019